(57)【要約】【課題】練習者のヘッドアップを確実に防止できるゴルフ練習装置を提供する。【解決手段】基台１２上に貼着された練習マット１６に載置された練習ボール２２を検知する反射型光電センサー３０と、練習者が載置した練習ボール２２と同時に表示内容を認識できる位置に設けられた表示部２６と、乱数表を記憶している記憶部３６と、反射型光電センサー３０、表示部２６及び記憶部３６を制御するＣＰＵ３４とを備え、前記練習者がゴルフクラブをスイングして練習ボール２２をショットした際に、前記練習者が表示部２６の表示内容を視認してヘッドアップを防止できるように、ＣＰＵ３４は、前記練習ボールがショットされて反射型光電センサー３０で検知されなくなったとき、所定時間遅れて表示部２６に、記憶部３４の乱数表に基づいてランダムに選択された数字を所定時間表示する。【選択図】図１
2013143975.tif 000002
【特許請求の範囲】
【請求項１】
基台上に貼着された練習マットの所定位置に載置された練習ボールを検知する反射型光電センサーと、前記練習ボールの載置位置近傍であって、練習者が前記練習ボールと同時に表示内容を認識できる位置に設けられた表示部と、乱数表を記憶している記憶部と、前記反射型光電センサー、前記表示部及び前記記憶部を制御する制御部とを備え、
前記練習者がゴルフクラブをスイングして前記練習ボールをショットした際に、前記練習者が前記表示部の表示内容を視認してヘッドアップを防止できるように、前記制御部は、前記練習ボールが前記反射型光電センサーで検知されなくなったとき、所定時間遅れて前記表示部に、前記記憶部の乱数表に基づいてランダムに選択された数字を所定時間表示することを特徴とするヘッドアップ防止用のゴルフ練習装置。
【請求項２】
前記表示部に数字を表示する時間遅れに、前記反射型光電センサーの応答遅れ時間が含まれていることを特徴とする請求項１に記載のヘッドアップ防止用のゴルフ練習装置。
【請求項３】
前記練習マットが、前記基台上に固定されたゴム板に面ファスナーで貼着されており、且つ前記練習マットの所定位置に開口された開口部の底面を形成する前記ゴム板上に前記表示部が設けられていることを特徴とする請求項１又は請求項２に記載のヘッドアップ防止用のゴルフ練習装置。
【請求項４】
前記練習マットの開口部が、前記練習ボールの載置位置から３〜７ｃｍであることを特徴とする請求項３に記載のヘッドアップ防止用のゴルフ練習装置。
【請求項５】
前記表示部に数字を表示する時間遅れが、５〜１０ミリ秒であることを特徴とする請求項１に記載のヘッドアップ防止用のゴルフ練習装置。
【請求項６】
前記表示部に数字を表示する時間が、２０〜５０ミリ秒間であることを特徴とする請求項１に記載のヘッドアップ防止用のゴルフ練習装置。
【請求項７】
前記表示部に表示する数字が、０〜９の単数であることを特徴とする請求項１又は請求項５に記載のヘッドアップ防止用のゴルフ練習装置。
【請求項８】
前記反射型光電センサーに、前記練習ボールを検知したとき点灯するパイロットランプが設けられていることを特徴とする請求項１又は請求項２に記載のヘッドアップ防止用のゴルフ練習装置。
【請求項９】
前記練習マットの前記練習ボールの載置位置に、前記練習ボールを載置するティー用の孔が穿設されていることを特徴とする請求項１に記載のヘッドアップ防止用のゴルフ練習装置。
【請求項１０】
前記反射型光電センサー、前記表示部，前記記憶部及び制御部が、前記基台に固定されたハウジング内に収納され、前記ハウジングに前記反射型光電センサーからの投光及び前記練習ボールからの反射光が出入するスリットが形成されていることを特徴とする請求項１〜９のいずれか一項に記載のヘッドアップ防止用のゴルフ練習装置。
【発明の詳細な説明】
【技術分野】
【０００１】
本発明はヘッドアップ防止用のゴルフ練習装置に関するものである。
【背景技術】
【０００２】
従来、ゴルフプレーヤーのヘッドアップを防止するゴルフ練習装置として、例えば下記特許文献１に、センサ箱体内に、投受光器を有する反射型光電スイッチと、この光電スイッチの検知出力を表示する目視容易な表示灯と、電源電池を収納した構造を有し、センサ箱体を打球するゴルフボールに近接した場所に置き、上記投受光器の投受光軸をこのゴルフボールに合わせ、反射光変化を検出する光電スイッチの出力によって表示灯の表示を変化させ、打球によってボールがなくなったことをゴルフプレーヤーに知らせるゴルフプレーにおけるヘッドアップ防止装置が記載されている。
また、下記特許文献２に、ゴルフ練習用マットと、このゴルフ練習用マットの所要位置に形成した係合孔と、透明若しくは半透明の材料から構成されて、上面が上記マットの表面と実質的に同一表面となるように上記係合孔内に設けた支持部材と、上記ゴルフ練習用マットに載置されたボールがショットされたことを検出する検出手段と、この検出手段からの信号を受けて、数字を上記支持部材に投射する識別マーク投射手段とを備えるヘッドアップ防止用器具が記載されている。
【先行技術文献】
【特許文献】
【０００３】
【特許文献１】実開平６−３４６７１号公報
【特許文献２】特開２０１１−１０４１３４１号公報
【発明の概要】
【発明が解決しようとする課題】
【０００４】
前記特許文献１のヘッドアップ防止装置又は前記特許文献２のヘッドアップ防止用器具は、練習者がゴルフクラブをスイングしてボールをショットした際に、練習者が表示灯に表示された表示内容又は支持部材に投射された数字を見ることによって、練習者のボールをショットするときのヘッドアップを防止するものである。しかし、このヘッドアップ防止装置等では、反射型光電スイッチ等のセンサーでボールがショットされたことを検出したとき、直ちに表示灯等に表示内容を表示している。しかし、本発明者の検討によれば、練習者のヘッドアップを確実に防止するには、従来のヘッドアップ防止装置等では、表示灯等の表示が早すぎることが判明した。
【０００５】
また、この表示灯の表示内容又は支持部材に投射される数字を練習者が予想できるものであると、練習者は表示内容や投射される数字を予測してゴルフクラブをスイングする。このため、練習者がボールをショットしたとき、ヘッドアップして表示内容や数字を見ていなくても、予測された表示内容が表示灯に表示又は数字が支持部材に投射されたものと錯覚することがある。更に、表示灯の表示内容又は支持部材に投射された数字が、練習者のゴルフクラブのスイングが終了してからも、継続して見ることができると、練習者は表示内容や数字がホールをショットしたとき見たように錯覚することもある。
【０００６】
そこで、本発明は前記の課題を解決するためになされたもので、練習者のヘッドアップを確実に防止できるように、ボールをショットしてから所定時間経過してから表示部に表示内容を表示し、且つ表示部に表示する表示内容を練習者にとって予測困難であって、練習者はゴルフクラブのスイングを終了したとき、表示部の表示内容を見ることができないヘッドアップ防止用のゴルフ練習装置を提供することを目的とする。
【課題を解決するための手段】
【０００７】
前記の目的を達成するためになされた、特許請求の範囲の請求項１に記載されたヘッドアップ防止用のゴルフ練習装置は、基台上に貼着された練習マットの所定位置に載置された練習ボールを検知する反射型光電センサーと、前記練習ボールの載置位置近傍であって、練習者が前記練習ボールと同時に表示内容を認識できる位置に設けられた表示部と、乱数表を記憶している記憶部と、前記反射型光電センサー、前記表示部及び前記記憶部を制御する制御部とを備え、前記練習者がゴルフクラブをスイングして前記練習ボールをショットした際に、前記練習者が前記表示部の表示内容を視認してヘッドアップを防止できるように、前記制御部は、前記練習ボールが前記反射型光電センサーで検知されなくなったとき、所定時間遅れて前記表示部に、前記記憶部の乱数表に基づいてランダムに選択された数字を所定時間表示することを特徴とする。
【０００８】
請求項２に記載されたヘッドアップ防止用のゴルフ練習装置は、請求項１に記載されたものであって、前記表示部に数字を表示する時間遅れに、前記反射型光電センサーの応答遅れ時間が含まれていることを特徴とする。
【０００９】
請求項３に記載されたヘッドアップ防止用のゴルフ練習装置は、請求項１又は請求項２に記載されたものであって、前記練習マットが、前記基台上に固定されたゴム板に面ファスナーで貼着され、且つ前記練習マットの所定位置に開口された開口部の底面を形成する前記ゴム板上に前記表示部が設けられていることを特徴とする。
【００１０】
請求項４に記載されたヘッドアップ防止用のゴルフ練習装置は、請求項３に記載されたものであって、前記練習マットの開口部が、前記練習ボールの載置位置から３〜７ｃｍであることを特徴とする。
【００１１】
請求項５に記載されたヘッドアップ防止用のゴルフ練習装置は、請求項１又は請求項２に記載されたものであって、前記表示部に数字を表示する時間遅れが、５〜１０ミリ秒であることを特徴とする。
【００１２】
請求項６に記載されたヘッドアップ防止用のゴルフ練習装置は、請求項１に記載されたものであって、前記表示部に数字を表示する時間が、２０〜５０ミリ秒間であることを特徴とする。
【００１３】
請求項７に記載されたヘッドアップ防止用のゴルフ練習装置は、請求項１又は請求項５に記載されたものであって、前記表示部に表示する数字が、０〜９の単数であることを特徴とする。
【００１４】
請求項８に記載されたヘッドアップ防止用のゴルフ練習装置は、請求項１又は請求項２に記載されたものであって、前記反射型光電センサーに、前記練習ボールを検知したとき点灯するパイロットランプが設けられていることを特徴とする。
【００１５】
請求項９に記載されたヘッドアップ防止用のゴルフ練習装置は、請求項１に記載されたものであって、前記練習マットの前記練習ボールの載置位置に、前記練習ボールを載置するティー用の孔が穿設されていることを特徴とする。
【００１６】
請求項１０に記載されたヘッドアップ防止用のゴルフ練習装置は、請求項１〜９のいずれか一項に記載されたものであって、前記反射型光電センサー、前記表示部、前記記憶部及び制御部が、前記基台に固定されたハウジング内に収納され、前記ハウジングに前記反射型光電センサーからの投光及び前記練習ボールからの反射光が出入するスリットが形成されていることを特徴とする。
【発明の効果】
【００１７】
本発明に係るヘッドアップ防止用のゴルフ練習装置によれば、練習者がゴルフクラブをスイングして練習ボールをショットしたとき、練習ボールのショットから所定時間経過後に表示部にランダムな数字が表示される。このため、練習者は表示部に表示される数字を確認するには、練習ボールをショットした後にも、その顔の位置をスイング開始位置と同位置とすることを要し、練習者のヘッドアップを確実に防止できる。
また、この表示部には記憶部に記憶された乱数表に基づいてランダムに選択された数字が表示されるため、練習者は表示部に表示される数字を予測することなくスイングできる。更に、表示部に表示された数字は、所定時間表示された後に消去され、練習者はスイングを終了した後、表示部の数字を見ることができない。このため、練習者がヘッドアップしてスイングしたときは、表示部に表示される数字を視認できず、練習者はヘッドアップしていることを確実に認識できる。
【図面の簡単な説明】
【００１８】
【図１】本発明に係るヘッドアップ防止用のゴルフ練習装置の一例を示す正面図及び側面図である。
【図２】図１に示すヘッドアップ防止用のゴルフ練習装置のＸ−Ｘでの横断面図である。
【図３】図１に示すヘッドアップ防止用のゴルフ練習装置の内部構造を説明するブロック図である。
【図４】図１に示すヘッドアップ防止用のゴルフ練習装置の動作を説明するフローチャートである。
【発明を実施するための形態】
【００１９】
以下、本発明を実施するための形態を詳細に説明するが、本発明の範囲はこれらの実施例に限定されるものではない。
【００２０】
本発明に係るヘッドアップ防止用のゴルフ練習装置の一例を図１に示す。その正面図を図１（ａ）に示し、その側面図を図１（ｂ）に示す。図１（ａ）（ｂ）に示すゴルフ練習装置１０は、アルミ板や鉄板等の金属製で形成された長方形状の基台１２の一面側に、基台１２よりも幅狭のゴム板１４が接着剤等で固着されている。更に、ゴム板１４上に練習マット１６が三本の帯状の面ファスナー１８，１８，１８で貼着されている。このように、練習マット１６は、ゴム板１４上に配設されており、練習者がゴルフクラブで練習マット１６を叩いても、その衝撃をゴム板１４で緩和できる。また、練習マット１６が面ファスナー１８，１８，１８でゴム板１４上に貼着されているため、練習マット１６の交換が簡単であり、練習者がゴルフクラブで練習マット１６を誤って叩いた場合も、練習マット１６が衝撃でズレてゴルフクラブの損傷等を防止又は軽減できる。かかる練習マット１６としては、ゴルフ場の芝生に似た人工芝のものを好適に用いることができる。
【００２１】
この練習マット１６には、図１（ａ）に示すＸ−Ｘでの断面図である図２に示すように、ゴルフクラブとしてドライバー等を用いる際に、ティーを差し込む孔２０が穿設されている。孔２０は、ティーを使用しないゴルフクラブを用いるときの練習ボール２２の載置位置でもある。かかる孔２０の近傍の練習マット１６に開口部２４が形成されている。かかる開口部２４に臨むように、ゴム板１４上に表示部２６が設けられている。この開口部２４の位置は、練習者が孔２０に載置した練習ボール２２と同時に表示部２６の表示内容を視認できる位置である。具体的には、孔２０と開口部２４の孔２０側縁との距離Ｌが３〜７ｃｍとなる位置が好ましい。この表示部２６には、数字を表示する。表示部２６に複雑な模様等を表示すると、練習者は表示部２６の表示内容を読み取ることに注意が行き、練習ボール２２への注意が散漫となり易い。表示部２６に表示する数字としては、練習者が瞬時に視認できる０〜９の単数字が好ましい。表示部２６としては、公知の表示装置を採用でき、例えば７セグメントディスプレイや液晶ディスプレイを好適に採用できる。尚、練習ボールとしては、ゴルフボールであってもよく、スポンジ製のボールであってもよい。
【００２２】
かかる練習マット１６等が載置されている基台１２上には、アルミ板や鉄板等の金属製で形成されたハウジング２８が装着されている。このハウジング２８は、上面が平坦な台形状をしており、図１（ａ）に示すように、孔２０上に載置された練習ボール２２を検知する反射型光電センサー３０、制御部としてのＣＰＵ（中央演算処理装置）３４（以下、単にＣＰＵ３４と称する）及び乱数表を記憶している記憶部３６を内装しているマイクロコンピュータ３２、及び電池３８が収納されている。電池３８は、スイッチ（図示せず）を介して反射型光電センサー３０、マイクロコンピュータ３２及び表示部２６に直流電流を供給する。反射型光電センサー３０は、可視光又は赤外線を検出体に投光する投光部と、検出体で反射された反射光を受光する受光部と、この受光部で受光したとき、光るパイロットランプ４２（図２）とを具備している。かかる反射型光電センサー３０を収納するハウジング２８は、図１（ｂ）に示すように、練習ボール２２が載置される側面にスリット４４が形成されている。このスリット４４を経由して、図２に示すように、反射型光電センサー３０の投光部から可視光又は赤外線が練習ボール２２に向けて投光され、練習ボール２２からの反射光が受光部に受光される。更に、練習ボール２２からの反射光が反射型光電センサー３０の受光部に受光したとき、パイロットランプ４２の光を練習者が確認できるように、ハウジング２８の上面に確認孔４０が穿設されている。このようにハウジング２８内に反射型光電センサー３０、マイクロコンピュータ３２及び電池３８を収納することにより、誤ってゴルフクラブで叩かれることによる損傷を防止できる。
【００２３】
図１及び図２に示す反射型光電センサー３０、記憶部３６及び表示部２６は、図３に示すように、ＣＰＵ３４によって制御されている。かかるＣＰＵ３４は、練習者がゴルフクラブをスイングして練習ボール２２をショットしたとき、練習者が表示部２６の表示内容を視認してヘッドアップを防止するように、反射型光電センサー３０、記憶部３６及び表示部２６を制御する。その一例を図４にフローチャートとして示す。尚、図４において、反射型光電センサー３０を省略してセンサー３０と示し、練習ボール２２を省略してボール２２と示す。
【００２４】
練習者が、ゴルフ練習装置１０のスイッチ（図示せず）をＯＮとして、電池３８から反射型光電センサー３０、マイクロコンピュータ３２及び表示部２６に直流電流を供給した後、孔２０の位置に練習ボール２２を載置する。ＣＰＵ３２は、載置した練習ボール２２が反射型光電センサー３０によって検知されたか否かチェックする（Ｓ１００）。反射型光電センサー３０は、載置された練習ボール２２に投光部から可視光又は赤外線を投光し、練習ボール２２からの反射光を受光部に受光したとき、練習ボール２２が孔２０の位置に載置されたことを検知し、その信号をＣＰＵ３２に発信する。その際に、パイロットランプ４２が点灯する（Ｓ１０２）。パイロットランプ４２の点灯は、ハウジング２８の確認孔４０から練習者も確認できる。練習者は、パイロットランプ４２が点灯されなかったときは、練習ボール２２を反射型光電センサー３０によって検知されてパイロットランプ４２が点灯する位置まで移動する。
【００２５】
練習ボール２２をパイロットランプ４２が点灯する載置位置に載置した後、練習者はゴルフクラブをスイングして練習ボール２２をショットする。ショットされた練習ボール２２は反射型光電センサー３０によって検知されなくなり、その信号がＣＰＵ３２に発信される（Ｓ１０４）。その際に、パイロットランプ４２も消灯される（Ｓ１０６）。反射型光電センサー３０から練習ボール２２が検知されなくなった信号を受信したＣＰＵ３２は、練習ボール２２がショットされてなくなってからの経過時間の計測を開始する（Ｓ１０８）。かかる計測は、ＣＰＵ３２内に備えているクロックを用いて行い、反射型光電センサー３０の応答遅れ時間を含めて計測する。ＣＰＵ３２は、練習ボール２２がショットされてなくなってからの経過時間が、予め記憶部３６に記憶されていた所定の遅れ時間と対比し、所定の遅れ時間を経過したか否かチェックする（Ｓ１１０）。練習ボール２２がショットされてなくなってからの経過時間が所定の遅れ時間を経過したとき、ＣＰＵ３２は表示部２６に記憶部３６に記憶されている乱数表に基づいてランダムに選択された数字を表示する（Ｓ１１２）。このように表示部２６にランダムに数字が表示されるため、練習者は練習ボール２２をショットするまで表示部２６に表示される数字を予測できない。
【００２６】
また、練習ボール２２がショットされてから所定時間遅れて表示部２６に数字が表示されるため、練習者は表示部２６に表示される数字を視認すべく、練習ボール２２のショット後にも、その顔の位置をスイング開始位置と同位置とすることを要し、練習者のヘッドアップを確実に防止できる。かかる遅れ時間は、予め記憶部３６に記憶しておき、５〜１０ミリ秒（特に５〜７ミリ秒）とすることが好ましい。遅れ時間が５ミリ秒未満であると、練習者がヘッドアップしても表示部２６に表示される数字を視認できる可能性がある。一方、遅れ時間が１０ミリ秒を超えると、練習者の顔が肩の回転に伴って回転するため、練習者がヘッドアップしていなくても表示部２６の数字を視認でき難くなる傾向にある。かかる表示部２６に表示する数字は、０〜９の単数であることが好ましい。表示部２６に二桁の数字を表示すると、練習者は表示部２６に表示される数字に注意が向き易く、練習ボール２２に対する注意力が不足し易くなる傾向がある。
【００２７】
かかる表示部２６の表示は、練習者がボールをショットした際に、練習者がヘッドアップしていなくても、その肩の回転に伴って顔も回転し、練習者は表示部２６の表示を視認できなくなって、表示部２６の表示を継続する意義がなくなる。また、表示部２６の表示を継続しておくと、ゴルフクラブのスイングを終了した練習者が表示部２６の表示を再度見て、練習ボール２２をショットしたときに視認した表示と誤認するおそれもある。このため、図１〜３に示すゴルフ練習装置１０では、表示部２６の表示を所定時間表示した後に消去し、ゴルフクラブのスイングを終了した練習者が表示部２６の表示を再度見えないようにしている。具体的には、表示部２６に所定の数字を表示する信号を発信したＣＰＵ３２は、表示部２６に所定の数字を表示している表示時間の計測を開始し（Ｓ１１４）、予め記憶部３６に記憶されていた所定の表示時間と対比し、所定の表示時間を経過したか否かチェックする（Ｓ１１６）。かかる表示時間の計測は、ＣＰＵ３２内に備えているクロックを用いて行う。表示時間が所定の表示時間を経過したとき、ＣＰＵ３２は表示数字を消去する信号を表示部２６に発信する（Ｓ１１８）。かかる所定の表示時間は、予め記憶部３６に記憶しておき、２０〜５０ミリ秒間（特に２０〜３０ミリ秒間）とすることが好ましい。表示時間が２０ミリ秒未満である場合、練習者が表示部２６の表示を十分に視認できない傾向がある。一方、表示時間が５０ミリ秒を超えて長い場合、練習者がヘッドアップしていなくても、その顔が肩の回転に伴って回転しており、練習者はもはや表示部２６を見ることができなくなっている。また、スイングを終了した練習者が表示部２６の表示を再度見るおそれもある。
【００２８】
図１〜図４に示すゴルフ練習装置１０によれば、練習者がゴルフクラブをスイングして練習ボール２２をショットしたとき、練習ボール２２のショットから所定時間経過後に表示部２６にランダムな数字が表示される。このため、練習者は表示部２６に表示される数字を視認するには、練習ボール２２のショット終了後にも、その顔の位置をスイング開始位置と同位置とすることを要し、練習者のヘッドアップを確実に防止できる。このゴルフ練習装置１０によって、練習者はヘッドアップを防止できるスイングフォームを身に付けることができる。
【００２９】
以上の説明では、練習マット１６上に練習ボール２２を直接載置した例を説明したが、練習マット１６に形成された孔２０に差し込んだティー上に練習ボール２２を載置して、練習してもよい。この場合、反射型光電センサー３０から可視光又は赤外線が練習ボール２２の一部に投光されることによって、練習ボール２２を反射型光電センサー３０で検出できる。また、図１及び図２に示すゴルフ練習装置１０において、練習マット１６をゴム板１４上に載置していたが、基台１２上に直接載置してもよい。更に、表示部２６に表示した数字を記憶部３６に一時的に記憶しておき、練習者がスイングした後、スイング中に視認した数字と実際に表示された数字とが合っているか確認できるようにしてもよい。この場合、再度、練習マット１６に練習ボール２２を載置して反射型光電センサー３０が検知したとき、記憶部３６に記憶していた数字を消去する。
【産業上の利用可能性】
【００３０】
本発明に係るゴルフ練習装置は、練習者のゴルフクラブをスイングする際に、そのヘッドアップを防止して練習ボールを確実にショットできるスイングフォームを身に付けることができる。
【符号の説明】
【００３１】
１０はゴルフ練習装置、１２は基台、１４はゴム板、１６は練習マット、１８は面ファスナー、２０は孔、２２は練習ボール、２４は開口部、２６は表示部、２８はハウジング、３０は反射型光電センサー、３２はマイクロコンピュータ、３４はＣＰＵ、３６は記憶部、３８は電池、４０は確認孔、４２はパイロットランプ、４４はスリット、Ｌは距離である。
【図１】
2013143975.tif 000003
【図２】
2013143975.tif 000004
【図３】
2013143975.tif 000005
【図４】
2013143975.tif 000006